(57)【要約】【課題】立体画像の撮影が可能な撮像装置において、使用者からの信頼性を高めることを目的とする。【解決手段】撮像素子４２を有する第１の撮像ユニット４を備えたカメラ本体と、カメラ本体を収容する外装ケースを有する撮像装置において、外装ケースは撮像素子４２で発生する熱を伝える熱伝導部材１０１と、第１の撮像ユニット４の撮影用の窓を開閉するためのスライド可能なスライドカバー１０を備え、熱伝導部材１０１は、外装ケースを構成する前面ケース１において、スライドカバー１０の開閉に関係なく、常にスライドカバー１０に覆われている位置に接続するように外装ケース内に配置する。【選択図】図４
2015008340.tif 000002
【特許請求の範囲】
【請求項１】
撮像素子を有する撮像ユニットを備えたカメラ本体と、
前記カメラ本体を収容する外装ケースとを有する撮像装置であって、
前記外装ケースは、
前記撮像素子で発生する熱を伝える熱伝導部材と、
前記撮像ユニットの撮影用の窓を開閉するためのスライド可能なスライドカバーとを備え、
前記熱伝導部材は、前記外装ケースにおいて、常に前記スライドカバーにより覆われている領域に接続するように外装ケース内に配置したことを特徴とする撮像装置。
【請求項２】
撮影時に常時駆動する第１の撮像素子を有する第１の撮像ユニットと、
立体画像の撮影時にのみ駆動する第２の撮像素子を有する第２の撮像ユニットと、
前記第１の撮像ユニットと前記第２の撮像ユニットとを間隔を開けて配置したカメラ本体と、前記カメラ本体を収容する外装ケースとを有する撮像装置であって、
前記第１の撮像素子で発生する熱を伝える第１の熱伝導部材と、
前記撮像ユニットの撮影用の窓を開閉するためのスライド可能なスライドカバーとを備え、
前記第１の熱伝導部材は、前記外装ケースにおいて、常に前記スライドカバーにより覆われている領域に接続するよう外装ケース内に配置したことを特徴とする撮像装置。
【請求項３】
さらに、前記第２の撮像素子で発生する熱を伝える第２の熱伝導部材を備え、
前記第２の熱伝導部材は、前記外装ケースにおいて、常に前記スライドカバーにより覆われている領域に接続するように外装ケース内に配置することを特徴とする請求項２記載の撮像装置。
【請求項４】
前記外装ケースが金属部材からなることを特徴とする請求項１ないし３記載の撮像装置。
【請求項５】
前記熱伝導部材が可撓性を有していることを特徴とする請求項１ないし４記載の撮像装置。
【請求項６】
前記熱伝導部材が銅箔あるいはグラファイトシートであることを特徴とする請求項１ないし５記載の撮像装置。
【発明の詳細な説明】
【技術分野】
【０００１】
本発明は、複数の視点から複数の撮像手段により撮影可能な撮像装置に関する。
【背景技術】
【０００２】
複数の視点から複数の撮像手段で撮影可能な撮像装置として、２個の光学系と２個の撮像素子を搭載したデジタルカメラが知られている（例えば、特許文献１参照）。
【０００３】
特許文献１に記載のデジタルカメラは、２個の光学系と２個のＣＣＤ（Ｃｈａｒｇｅ  Ｃｏｕｐｌｅｄ  Ｄｅｖｉｃｅ）素子によるイメージセンサなどの撮像素子を有し、同一被写体を左右の２つの視点から撮影可能となっている。
【先行技術文献】
【特許文献】
【０００４】
【特許文献１】特開２００８−１６７０６６号公報
【発明の概要】
【発明が解決しようとする課題】
【０００５】
このような立体画像の撮影が可能な撮像装置において、撮像素子が発熱した熱を効率よく放熱することが課題となっている。
【０００６】
本発明は撮像装置において、使用者からの信頼性を高めることを目的とする。
【課題を解決するための手段】
【０００７】
このような目的を達成するために本発明の請求項１に係る撮像装置は、撮像素子を有する撮像ユニットを備えたカメラ本体と、前記カメラ本体を収容する外装ケースとを有する撮像装置であって、前記外装ケースは、前記撮像素子で発生する熱を伝える熱伝導部材と、前記撮像ユニットの撮影用の窓を開閉するためのスライド可能なスライドカバーとを備え、前記熱伝導部材は、前記外装ケースにおいて、常に前記スライドカバーにより覆われている領域に接続するように外装ケース内に配置したことを特徴とする。
【０００８】
また、本発明の請求項２に係る撮像装置は、撮影時に常時駆動する第１の撮像素子を有する第１の撮像ユニットと、立体画像の撮影時にのみ駆動する第２の撮像素子を有する第２の撮像ユニットと、前記第１の撮像ユニットと前記第２の撮像ユニットとを間隔を開けて配置したカメラ本体と、前記カメラ本体を収容する外装ケースとを有する撮像装置であって、前記第１の撮像素子で発生する熱を伝える第１の熱伝導部材と、前記撮像ユニットの撮影用の窓を開閉するためのスライド可能なスライドカバーとを備え、前記第１の熱伝導部材は、前記外装ケースにおいて、常に前記スライドカバーにより覆われている領域に接続するよう外装ケース内に配置したことを特徴とする。
【０００９】
さらに、上記撮像装置は、前記第２の撮像素子で発生する熱を伝える第２の熱伝導部材を備え、前記第２の熱伝導部材は、前記外装ケースにおいて、常に前記スライドカバーにより覆われている領域に接続するように外装ケース内に配置したことを特徴とする。
【００１０】
これにより、撮像素子が発生する熱を、外装ケースにおいて、スライドカバーに覆われている領域に放熱することができる。
【００１１】
また、前記外装ケースを金属部材としてもよい。これにより、放熱効果が更に高まる。
【００１２】
また、前記熱伝導部材が可撓性を有していてもよい。
【００１３】
また、前記熱伝導部材が銅箔あるいはグラファイトシートであってもよい。
【００１４】
これにより、外装ケースに加わる振動等の外力が撮像素子に伝わらない。
【発明の効果】
【００１５】
本発明によれば、使用者がデジタルカメラを使用しているときに、周辺温度との温度差から違和感を感じたり、低温やけどの発生を防止することができるので、使用者が製品に対して不信感を抱くおそれが少なくなり、製品に対する信頼性を確保することができる。
【図面の簡単な説明】
【００１６】
【図１】本発明の一実施の形態に係るデジタルカメラ１００の外観構成を示す正面斜視図
【図２】本発明の一実施の形態に係るカメラ本体３の構成を示す正面斜視図
【図３】本発明の一実施の形態に係るカメラ本体３の構成を示す背面斜視図
【図４】本発明の一実施の形態に係るデジタルカメラ１００の概略断面図
【図５】本発明の一実施の形態に係るデジタルカメラ１００の回路ブロックの構成を含めて示す概略構成図
【図６】本発明の一実施の形態に係るスライドカバーと熱伝導部材の接続位置を示す図
【図７】本発明の一実施の形態に係るカメラ本体３を背面からみた構成図
【図８】本発明の他の実施の形態におけるカメラ本体３を背面からみた構成図
【発明を実施するための形態】
【００１７】
以下、本発明の一実施の形態に係る撮像装置について、デジタルカメラを例にとって図面を用いて説明する。
【００１８】
まず、本実施の形態におけるデジタルカメラの構成について説明する。
【００１９】
図１は本発明の一実施の形態に係るデジタルカメラ１００の外観構成を示す正面斜視図である。図２は本発明の一実施の形態に係るカメラ本体３の正面斜視図である。図３は、本発明の一実施の形態に係るカメラ本体３の背面斜視図である。図２は、デジタルカメラ１００より、前面ケース１を外した図である。また、図３は、デジタルカメラ１００より、前面ケース１、背面ケース、メイン回路基板を外した図である。
【００２０】
図１、図２に示すように、デジタルカメラ１００は、前面ケース１と背面ケース２とからなる外装ケース内に、カメラ本体３を収容することにより構成されている。
【００２１】
カメラ本体３は、第１の撮像ユニット４と第２の撮像ユニット５とを有し、第１の撮像ユニット４と第２の撮像ユニット５は、所定の間隔をあけて外装ケース内部の金属製のフレーム６に取り付けることにより構成されている。
【００２２】
カメラ本体３は、デジタルカメラの電源となるバッテリ（図示せず）を収容した電源ブロック７と、カメラ本体３の動作コントロールを行うための回路ブロック８と、撮影した静止画像や動画像を記録するメモリーカード（図示せず）を収容したカードスロット２０とを備え、それぞれ外装ケース内の空間に配置されている。ここで、電源ブロック７は、カメラ本体３で使用するための電力を各部に供給するもので、バッテリを収容する以外に、ＡＣ電源から直流電源に変換する電源アダプタが接続される電源端子が配置されている。
【００２３】
第１の撮像ユニット４は、外装ケースの端部（図１においては右端）に配置される。第２の撮像ユニット５は、外装ケースのほぼ中央部に配置される。また、第１の撮像ユニット４は、デジタルカメラの撮影時に常時駆動する。第２の撮像ユニット５は、第１の撮像ユニット４とともに立体画像を撮影する時に主に駆動する。
【００２４】
外装ケースの上面部には、主電源スイッチ９ａやレリーズ釦９ｂからなる操作部９が設けられる。前面ケース１には、第１の撮像ユニット４と第２の撮像ユニット５の撮影用の窓１ａを開閉するために上下にスライド可能なスライドカバー１０が配置されている。
【００２５】
前記外装ケースの底面部には、デジタルカメラを三脚や一脚などの支持具に設置する際に使用されるステンレス合金などの金属製の支持具取付部１１が外部に露出するように配置されている。支持具取付部１１は、フレーム６に固定され、三脚や一脚などの支持具に固定される部分のみが外装ケースの底面部に露出している。
【００２６】
背面ケース２の底面部には、電源ブロック７の空間にバッテリを収容するときやカードスロット２０の空間にメモリーカードを収容するときに、空間の外部への開口部を開閉するための開閉蓋１２が設けられている。デジタルカメラの使用者は、開閉蓋１２を開閉することにより、電源ブロック７へのバッテリの着脱およびカードスロット２０へのメモリーカードの着脱を行うことができる。
【００２７】
図４は、デジタルカメラ１００の概略断面図である。図５は、デジタルカメラ１００の回路ブロックの構成を含めて示す概略構成図である。図４は、第１の撮像ユニット４と第２の撮像ユニット５部分を縦方向に切断した状態を示している。図５はカメラ本体３の動作コントロールを行う回路ブロックの構成を含めて示す概略構成図である。
【００２８】
図２、図４に示すように、第１の撮像ユニット４および第２の撮像ユニット５は、前面ケース１の撮影用窓１ａに対向する上部に配置される。第１の撮像ユニット４は、レンズ４１ａ、屈曲光学系４１ｂとからなるレンズユニットと、下部の位置に配置され、レンズユニットで受けた光学像を画像データに変換するＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ  Ｉｍａｇｅ  Ｓｅｎｓｏｒ）による撮像素子４２と、撮像素子４２がそれぞれ実装される回路基板４３と、レンズユニットと撮像素子４２の間に配置されるレンズ群４４および絞りユニット４５と、これらの構成部品を収容するユニット筐体４６により構成されている。
【００２９】
レンズユニットは、撮影用窓１ａを通して第１の撮像ユニット４に入射する光学像を撮像素子４２に導くために、被写体の光学像Ａ１を受けるレンズ４１ａと屈曲光学系４１ｂとを備えている。さらに、撮像素子４２が実装される回路基板４３には、撮像素子４２の制御を行うとともに、撮像素子４２から得られる画像データを処理する回路が実装されている。また、回路基板４３には、撮像素子４２で発生する熱を伝える第１の熱伝導送部材である熱伝導部材１０１が接続され、熱伝導部材１０１の他端は、前面ケース１に接続されている。
【００３０】
同様に、第２の撮像ユニット５は、レンズ５１ａと屈曲光学系５１ｂとからなるレンズユニットと、下部の位置に配置され、レンズユニットで受けた光学像を画像データに変換するＣＭＯＳによる撮像素子５２と、撮像素子５２がそれぞれ実装される回路基板５３と、レンズユニットと撮像素子５２の間に配置されるレンズ群５４および絞りユニット５５と、これらの構成部品を収容するユニット筐体５６により構成されている。
【００３１】
レンズユニットは、撮影用窓１ａを通して第２の撮像ユニット５に入射する光学像を撮像素子５２に導くために、被写体の光学像Ａ１を受けるレンズ５１ａと屈曲光学系５１ｂとを備えている。さらに、撮像素子５２が実装される回路基板５３には、撮像素子５２の制御を行うとともに、撮像素子５２から得られる画像データを処理する回路が実装されている。また、回路基板５３には、撮像素子５２の熱を伝える第２の熱伝導部材である熱伝導部材１０２が接続され、熱伝導部材１０２の他端は、前面ケース１に接続されている。
【００３２】
また、液晶ディスプレイなどにより構成されるカメラモニタ１３は、背面ケース２の後面に配置されている。
【００３３】
なお、熱伝導部材１０１、熱伝導部材１０２は、筐体に加わる振動等の外力が、撮像素子に伝わらないように、可撓性を有する銅箔やグラファイトシートが好ましい。
【００３４】
次に、図５を用いて、カメラ本体３の回路ブロック８の構成およびその動作を説明する。
【００３５】
撮像素子４２、５２は、レンズユニットを介して入射される被写体の光学像を静止画データおよび動画データなどの画像データに変換する。ここで、撮像素子４２、５２は、回路基板４３、５３に搭載したタイミング信号発生器１４からのタイミング信号に基づいて動作し、光学像を画像データに変換する。
【００３６】
撮像素子４２、５２で変換された画像データは、回路基板４３、５３それぞれに搭載されるＡＤコンバーター１５でデジタル信号に変換され、カメラコントローラー１６に送られて画像処理が施される。ここで言う画像処理とは、例えば、ガンマ補正処理、ホワイトバランス補正処理、キズ補正処理、ＹＣ変換処理、電子ズーム処理、ＪＰＥＧ圧縮処理等である。
【００３７】
カメラコントローラー１６は、操作部９からの指示を受けてカメラ本体３の各部を制御する。具体的には、カメラコントローラー１６は、第１の撮像ユニット４および第２の撮像ユニット５を制御するための信号をレンズコントローラー１７に送信するとともに、レンズコントローラー１７から各種信号を受信する。駆動部１８は、レンズコントローラー１７の制御信号に基づいて、第１の撮像ユニット４および第２の撮像ユニット５の光学系のレンズ群の駆動を行うとともに、絞りユニット４５、５５の制御を行う。絞りユニット４５、５５は、光学系を透過する光の量を調整する光量調整部材である。光学系のレンズ群は、ズームレンズ群と、ＯＩＳ（Ｏｐｔｉｃａｌ  Ｉｍａｇｅ  Ｓｔａｂｉｌｉｚｅｒ）レンズ群と、フォーカスレンズ群とを有する。
【００３８】
カメラコントローラー１６に接続されたメモリ１９は、第１の撮像ユニット４および第２の撮像ユニット５の光学系の各レンズ群および絞りユニット４５、５５の駆動制御を行う場合に、データを一時保存したり、カメラコントローラー１６を制御するプログラムやパラメータを保存したりするために使用される。
【００３９】
カードスロット２０には、メモリーカードが着脱自在に装着される。カードスロット２０は、カメラコントローラー１６から送信される制御信号に基づいて、メモリーカードを制御し、撮像素子４２、５２から得られる静止画データや動画データの書き込み、読出しを行う。なお、撮像素子４２、５２で生成される静止画データおよび動画データなどの画像データにおいて、動画データは、スルー画像の表示にも用いられる。ここで、スルー画像とは、動画データのうちメモリーカードにデータを記録されない画像で、カメラコントローラー１６で画像処理され、動画像または静止画像の構図を決めるためにカメラモニタ１３に表示される。
【００４０】
次に、デジタルカメラ１００の構造上の特徴をさらに詳細に説明する。
【００４１】
近年、デジタルカメラにおいては、高画質化や動画撮影対応により、撮像素子やカメラコントローラーの消費電力が大きくなり、撮像素子やカメラコントローラーにおける発熱量が大きくなってきている。本発明の一実施の形態のデジタルカメラ１００は、２つの撮像ユニットを備えていることから、撮像ユニットにおける発熱量が２倍となるとともに、撮影した画像を処理するカメラコントローラー１６における発熱量も従来に比べて大きくなってしまう。
【００４２】
発熱量が増加した場合、熱ノイズが発生し、画像劣化が生じるため、撮像素子の熱を効率よく放熱させることが課題である。一方で、カメラの小型化への要求から、ファンや放熱板を内蔵することは困難となっている。
【００４３】
本発明者らは、このような課題に対し、撮像素子の温度上昇を効率よく低減させる構成について検討と実験を行った。
【００４４】
図６は、デジタルカメラ１００の概略構成図である。図７は、デジタルカメラ１００の背面側から見た概略断面図である。図６は、第１の撮像ユニット４と第２の撮像ユニット５部分を縦方向に切断した状態を示している。
【００４５】
図６、図７に示すように、第１の撮像ユニットでは、撮像素子４２が実装されている回路基板４３と熱的に接続された熱伝導部材１０１の他端を前面ケース１内面に接続させる。このように接続することにより、前面ケース１を放熱板として用い、撮像素子４２で発生した熱を熱拡散させ、大気中に放熱させることができる。
【００４６】
同様に、第２の撮像ユニットでは、撮像素子５２が実装されている回路基板５３と熱的に接続された熱伝導部材１０２の他端を前面ケース１内面に接続させる。このように接続することにより、前面ケース１を放熱板として用い、撮像素子５２で発生した熱を熱拡散させ、大気中に放熱させることができる。
【００４７】
ここで、熱伝導部材１０１および熱伝導部材１０２を前面ケース１の内面に接続させる位置について説明する。
【００４８】
図６（Ａ）は、デジタルカメラ１００が電源オフされている状態、すなわち、スライドカバー１０が閉じている状態を示している。この場合、スライドカバー１０は、第１の撮像ユニット４および第２の撮像ユニット５において、それぞれレンズ４１ａ、レンズ５１ａを被っている。この場合、前面ケース１において、撮影窓１ａを含む範囲Ｂ１がスライドカバー１０により覆われた状態となっている。
【００４９】
図６（Ｂ）は、デジタルカメラ１００が電源オンされている場合、すなわち、スライドカバー１０が開いている状態を示している。この場合、スライドカバー１０は、第１の撮像ユニット４および第２の撮像ユニット５において、それぞれレンズ４１ａ、レンズ５１ａを被っていない。この場合、前面ケース１において、撮影窓１ａはスライドカバーに覆われておらず、範囲Ｂ２がスライドカバー１０に覆われた状態となっている。
【００５０】
ここで、図６において、範囲Ｂ３に相当する前面ケース１における斜線で示す非接触領域１０３は、図６（Ａ）のようにスライドカバー１０が閉じている時も、図６（Ｂ）のようにスライドカバー１０が開いている時も、スライドカバー１０に覆われている領域である。すなわち非接触領域１０３は、スライドカバー１０の開閉に関係なく、常にスライドカバー１０に覆われている位置であり、使用者が手に触れることができない領域である。
【００５１】
本発明では、熱伝導部材１０１および熱伝導部材１０２は、前面ケース１の非接触領域１０３に接続するように、外装ケース内に配置させる。撮像素子からの熱は、非接触領域１０３に伝熱させるが、非接触領域１０３が高温化しても、使用者はスライドカバー１０により前面ケース１に手で触れることがない。従って、使用者がデジタルカメラ１００を触った時に、熱くて不快な感じを受けることや、低温やけどをすることを防止することができる。
【００５２】
なお、本発明では、両方の撮像ユニットに放熱構造を設けたが、片方の撮像ユニットにのみ放熱構造を設けてもよい。この場合について図８を用いて説明する。図８は、他の実施の形態に係るデジタルカメラ１００の背面側から見た概略構成図である。
【００５３】
デジタルカメラ１００においては、通常撮影時は第１の撮像ユニット４のみが駆動し、立体画像撮影時には第１の撮像ユニット４と第２の撮像ユニット５が駆動する。従って、常時駆動する第１の撮像ユニット４近傍の温度に比べ、第２の撮像ユニット５近傍の温度は比較的上昇しない。そこで、常時駆動する第１の撮像ユニット４側にのみ、放熱構造を設けるようにしてもよい。この場合も、熱伝導部材１０１の他端は、前面ケース１の非接触領域１０３内に接続させる。
【００５４】
また、熱伝導部材１０１の他端は非接触領域１０３内であればどこに接続されてもよい。前面ケース１において、非接触領域１０３以外の領域に一番遠い、非接触領域１０３の中央付近が好適である。
【００５５】
また、本発明では、撮像素子毎に熱伝導部材を配置していたが、熱伝導部材１０１と熱伝導部材１０２が一体に構成されていてもよい。
【００５６】
以上のように、本発明によれば、スライドカバー１０の開閉時に、常にスライドカバー１０に覆われている前面ケース１の非接触領域に撮像素子で発生した熱を放熱させることで、撮像素子による温度上昇を抑制することができ、かつ、使用者がデジタルカメラを使用しているときに、周辺温度との温度差から違和感を感じ、製品に対して不信感を抱くおそれが少なくなり、製品に対する信頼性を確保することができる。
【００５７】
また、前面ケースを放熱部材として利用することから、撮像装置内部に、撮像素子の熱を放熱させる放熱板を設ける必要がないため、撮像装置の小型軽量化に対応できる。また、外装ケースを金属部材とすることで、放熱効果を高めることができる。
【００５８】
また、撮像ユニットを１つ有する撮像装置においても、同様の放熱構造を設けることで、同様の効果を得ることができる。
【００５９】
なお、本発明の実施形態は、前述の実施形態に限定されず、本発明の趣旨を逸脱しない範囲で、種々の変形および修正が可能である。
【産業上の利用可能性】
【００６０】
以上のように本発明によれば、立体画像の撮影が可能な撮像装置の信頼性を高める上で有用な発明である。
【符号の説明】
【００６１】
１  前面ケース
２  背面ケース
３  カメラ本体
４  第１の撮像ユニット
５  第２の撮像ユニット
６  フレーム
７  電源ブロック
８  回路ブロック
９  操作部
１０  スライドカバー
１１  支持具取付部
１２  開閉蓋
１３  カメラモニタ
２０  カードスロット
４１ａ、５１ａ  レンズ
４１ｂ、５１ｂ  屈曲光学系
４２、５２  撮像素子
４３、５３  回路基板
４４、５４  レンズ群
４５、５５  絞りユニット
４６、５６  ユニット筐体
１００  デジタルカメラ（撮像装置の一例）
１０１、１０２  熱伝導部材
【図１】
2015008340.tif 000003
【図２】
2015008340.tif 000004
【図３】
2015008340.tif 000005
【図４】
2015008340.tif 000006
【図５】
2015008340.tif 000007
【図６】
2015008340.tif 000008
【図７】
2015008340.tif 000009
【図８】
2015008340.tif 000010